(57)【要約】【課題】  アノテーション表示する文字列を簡便に登録できる技術を提供する。【解決手段】  キー操作で呼び出された登録済みの登録文字列若しくは入力された入力文字列をモニタに表示させるアノテーション表示において、登録文字列を記憶し、入力文字列を順次記憶する。各入力文字列の重複入力回数をカウントし、重複入力回数が閾値以上である入力文字列を登録文字列として記憶させる。また、入力文字列を順次記憶し、所定のタイミングで記憶した各入力文字列をモニタに表示させる。表示した入力文字列が選択されると、該選択された入力文字列を登録文字列として記憶させる。【選択図】      図３
2007330324.tif 000002
【特許請求の範囲】
【請求項１】
キー操作で呼び出された登録済みの登録文字列若しくは入力された入力文字列を、モニタに表示させるアノテーション手段と、
登録文字列を記憶する登録文字列記憶手段と、
入力された入力文字列を記憶する入力文字列記憶手段と、
閾値を記憶する閾値記憶手段と、
キー操作による同一の入力文字列の入力回数が累積して閾値以上であると当該入力文字列を登録文字列記憶手段に記憶させる登録手段と、
を備えること、
を特徴とするアノテーション表示装置。
【請求項２】
キー操作で呼び出された登録済みの登録文字列若しくは入力された入力文字列を、モニタに表示させるアノテーション手段と、
登録文字列を記憶する登録文字列記憶手段と、
入力文字列を順次記憶する入力文字列記憶手段と、
入力文字列記憶手段に記憶された各入力文字列をモニタに表示させるとともに、表示した入力文字列が選択されると、該選択された入力文字列を登録文字列記憶手段に記憶させる登録手段と、
を備えること、
を特徴とするアノテーション表示装置。
【請求項３】
前記閾値の設定を受け付けるとともに、入力された閾値を前記閾値記憶手段に記憶させる入力手段をさらに備えること、
を特徴とする請求項１記載のアノテーション表示装置。
【請求項４】
前記登録手段は、
入力回数が閾値以上の入力文字列に対する登録要否の選択のためのメッセージをモニタに表示させ、登録要が選択された入力文字列を登録文字列記憶手段に記憶させること、
を特徴とする請求項１記載のアノテーション表示装置。
【請求項５】
前記登録手段は、
前記入力文字列記憶手段に記憶された各入力文字列を登録文字列記憶手段から検索し、入力文字列と同一の登録文字列が存在すると、同一の登録文字列が存在する入力文字列を強調修飾してモニタに表示させること、
を特徴とする請求項２記載のアノテーション表示装置。
【請求項６】
前記アノテーション手段は、
キー操作で入力された入力文字列を登録文字列記憶手段から検索し、当該入力文字列と同一の登録文字列が存在すると、モニタに登録済みを報知するメッセージを表示させること、
を特徴とする１又は２記載のアノテーション表示装置。
【請求項７】
超音波を送受波する超音波プローブと、
前記超音波プローブが受波した超音波に基づき断層像を生成する画像生成手段と、
前記画像生成手段により生成された断層像を表示するモニタと、
キー操作で呼び出された登録済みの登録文字列若しくは入力された入力文字列を前記断層像とともにモニタに表示させるアノテーション手段と、
登録文字列を記憶する登録文字列記憶手段と、
入力された入力文字列を記憶する入力文字列記憶手段と、
閾値を記憶する閾値記憶手段と、
キー操作による同一の入力文字列の入力回数が累積して閾値以上であると当該入力文字列を登録文字列記憶手段に記憶させる登録手段と、
を備えること、
を特徴とする超音波診断装置。
【請求項８】
超音波を送受波する超音波プローブと、
前記超音波プローブが受波した超音波に基づき断層像を生成する画像生成手段と、
前記画像生成手段により生成された断層像を表示するモニタと、
キー操作で呼び出された登録済みの登録文字列若しくは入力された入力文字列を前記画像とともにモニタに表示させるアノテーション手段と、
登録文字列を記憶する登録文字列記憶手段と、
入力文字列を順次記憶する入力文字列記憶手段と、
入力文字列記憶手段に記憶された各入力文字列をモニタに表示させるとともに、表示した入力文字が選択されると、該選択された入力文字列を登録文字列記憶手段に記憶させる登録手段と、
を備えること、
を特徴とする超音波診断装置。
【請求項９】
コンピュータを、
キー操作で呼び出された登録済みの登録文字列若しくは入力された入力文字列をモニタに表示させるアノテーション手段と、
登録文字列を記憶する登録文字列記憶手段と、
入力された入力文字列を記憶する入力文字列記憶手段と、
閾値を記憶する閾値記憶手段と、
キー操作による同一の入力文字列の入力回数が累積して閾値以上であると当該入力文字列を登録文字列記憶手段に記憶させる登録手段と、
して機能させること、
を特徴とするアノテーション表示プログラム。
【請求項１０】
コンピュータを、
キー操作で呼び出された登録済みの登録文字列若しくは入力された入力文字列をモニタに表示させるアノテーション手段と、
登録文字列を記憶する登録文字列記憶手段と、
入力文字列を順次記憶する入力文字列記憶手段と、
入力文字列記憶手段に記憶された各入力文字列をモニタに表示させるとともに、表示した入力文字が選択されると、該選択された入力文字列を登録文字列記憶手段に記憶させる登録手段と、
して機能させること、
を特徴とするアノテーション表示プログラム。
【発明の詳細な説明】
【技術分野】
【０００１】
本発明は、アノテーション表示する文字列の登録技術に関する。
【背景技術】
【０００２】
被検体の診断には、被検体内を撮影してその断層像を作成する画像診断装置が用いられる。例えば超音波診断装置、Ｘ線ＣＴ装置、ＭＲＩ装置、核医学診断装置等である。作成した断層像をモニタに表示し、被検体の診断に供する。
【０００３】
近年、この画像診断装置に、アノテーション表示機能が付加されることが多くなっている（例えば、「特許文献１」参照。）。アノテーション表示機能は、検査中に、モニタの断層像上にアノテーションと呼ばれる注釈やコメント等の文字列をオーバレイ表示するものである。
【０００４】
操作者は、画像診断装置に予め登録されている文字列を呼び出したり、画像診断装置が備える入力手段を操作することで文字列を入力して、アノテーション表示させる。登録されている文字列は、初めから用意されているものの他、操作者自身が入力手段を操作することで別途登録する。
【０００５】
登録手続きは、超音波診断装置のモニタに登録画面を表示させ、登録画面に対して登録しようとする文字列を入力し、その文字列を所定のキーに割り付ける操作が必要である。この登録手続きの煩雑さから、操作者は文字列を登録することが煩わしく、使用頻度が高い文字列であってもその場でキー操作して入力することが多い。
【０００６】
【特許文献１】特開平１１−２８５４９４号公報
【発明の開示】
【発明が解決しようとする課題】
【０００７】
本発明は、上記事情に鑑みてなされたものであり、その目的とするところは、アノテーション表示する文字列を簡便に登録できる技術を提供することにある。
【課題を解決するための手段】
【０００８】
上記課題を解決するために、請求項１記載の発明は、キー操作で呼び出された登録済みの登録文字列若しくは入力された入力文字列を、モニタに表示させるアノテーション手段と、登録文字列を記憶する登録文字列記憶手段と、入力された入力文字列を記憶する入力文字列記憶手段と、閾値を記憶する閾値記憶手段と、キー操作による同一の入力文字列の入力回数が累積して閾値以上であると当該入力文字列を登録文字列記憶手段に記憶させる登録手段と、を備えること、を特徴とする。
【０００９】
上記課題を解決するために、請求項２記載の発明は、キー操作で呼び出された登録済みの登録文字列若しくは入力された入力文字列を、モニタに表示させるアノテーション手段と、登録文字列を記憶する登録文字列記憶手段と、入力文字列を順次記憶する入力文字列記憶手段と、入力文字列記憶手段に記憶された各入力文字列をモニタに表示させるとともに、表示した入力文字列が選択されると、該選択された入力文字列を登録文字列記憶手段に記憶させる登録手段と、を備えること、を特徴とする。
【００１０】
上記課題を解決するために、請求項７記載の発明は、超音波を送受波する超音波プローブと、前記超音波プローブが受波した超音波に基づき断層像を生成する画像生成手段と、前記画像生成手段により生成された断層像を表示するモニタと、キー操作で呼び出された登録済みの登録文字列若しくは入力された入力文字列を前記断層像とともにモニタに表示させるアノテーション手段と、登録文字列を記憶する登録文字列記憶手段と、入力された入力文字列を記憶する入力文字列記憶手段と、閾値を記憶する閾値記憶手段と、キー操作による同一の入力文字列の入力回数が累積して閾値以上であると当該入力文字列を登録文字列記憶手段に記憶させる登録手段と、を備えること、を特徴とする。
【００１１】
上記課題を解決するために、請求項８記載の発明は、超音波を送受波する超音波プローブと、前記超音波プローブが受波した超音波に基づき断層像を生成する画像生成手段と、前記画像生成手段により生成された断層像を表示するモニタと、キー操作で呼び出された登録済みの登録文字列若しくは入力された入力文字列を前記画像とともにモニタに表示させるアノテーション手段と、登録文字列を記憶する登録文字列記憶手段と、入力文字列を順次記憶する入力文字列記憶手段と、入力文字列記憶手段に記憶された各入力文字列をモニタに表示させるとともに、表示した入力文字が選択されると、該選択された入力文字列を登録文字列記憶手段に記憶させる登録手段と、を備えること、を特徴とする。
【００１２】
上記課題を解決するために、請求項９記載の発明は、コンピュータを、キー操作で呼び出された登録済みの登録文字列若しくは入力された入力文字列をモニタに表示させるアノテーション手段と、登録文字列を記憶する登録文字列記憶手段と、入力された入力文字列を記憶する入力文字列記憶手段と、閾値を記憶する閾値記憶手段と、キー操作による同一の入力文字列の入力回数が累積して閾値以上であると当該入力文字列を登録文字列記憶手段に記憶させる登録手段と、して機能させること、を特徴とする。
【００１３】
上記課題を解決するために、請求項１０記載の発明は、コンピュータを、キー操作で呼び出された登録済みの登録文字列若しくは入力された入力文字列をモニタに表示させるアノテーション手段と、登録文字列を記憶する登録文字列記憶手段と、入力文字列を順次記憶する入力文字列記憶手段と、入力文字列記憶手段に記憶された各入力文字列をモニタに表示させるとともに、表示した入力文字が選択されると、該選択された入力文字列を登録文字列記憶手段に記憶させる登録手段と、して機能させること、を特徴とする。
【発明の効果】
【００１４】
本発明によれば、アノテーション表示に頻繁に利用する文字列が簡便に登録でき、アノテーション表示する文字列の登録に係る煩わしさを低減することができる。
【発明を実施するための最良の形態】
【００１５】
以下、本発明に係るアノテーション表示装置の好適な実施形態について、図面を参照しながら具体的に説明する。
【００１６】
図1は、本実施形態に係るアノテーション表示装置を有する超音波診断装置の構成を示すブロック図である。超音波診断装置１００は、被検体に対して超音波を送波し、受波した超音波から被検体内の断層像を作成して表示することで、被検体の検査に供する装置である。検査中は、作成した断層像を表示し、また断層像上に操作者が入力したアノテーション（注釈、コメント等の文字列）をオーバレイ表示する。
【００１７】
アノテーション表示では、超音波診断装置１００に予め登録されている文字列（登録文字列）を呼び出して表示し、又はキーボードで入力した文字列（入力文字列）を表示する。登録は、文字列を記憶し、かつその文字列がボタンに割り当てられる状態をいう。登録文字列は、予め用意された文字列の他、検査中に所定回数以上重複して入力された入力文字列や、検査中に入力された入力文字列の一覧から選択された入力文字列が登録される。登録文字列には、例えばＭＲ（僧帽弁逆流）、ＭＳ（僧帽弁狭窄）、ＡＳＤ（心房中隔欠損）のような文字列がある。
【００１８】
この超音波診断装置１００は、超音波プローブ１０１と、超音波プローブ１０１に接続される送受信部１０２と、送受信部１０２に接続される信号処理部１０３と、信号処理部１０３に接続される画像処理部１０５を含み構成され、超音波から被検体の断層像を作成する。また、モニタ１０６を含み構成され、作成された断層像の表示やアノテーション表示をする。
【００１９】
また、制御部１０７を含み構成され、送受信部１０２と信号処理部１０３と画像処理部１０５とモニタ１０６を制御して、超音波から断層像を作成させ、若しくはモニタ１０６に表示させ、若しくはアノテーション表示を実行している。制御部１０７は、操作パネル１０９を用いたコマンド入力や所定動作の完了をトリガとして制御を実行する。
【００２０】
超音波プローブ１０１は、超音波を被検体内に送受波する。この超音波プローブ１０１は、圧電体と圧電体を挟んで配置される電極対を含み構成される。圧電体は、チタン酸鉛等の圧電セラミックからなる音響／電気可逆的変換素子である。電極対から圧電体へ電圧を印加して圧電効果を生じさせ、電極対と直交する方向に超音波を送波する。一方、圧電体が超音波を受波して圧電効果を生じ、受波した超音波をその強度に応じた電圧値を有するエコー信号に変換して電極対に流れる。
【００２１】
超音波プローブ１０１に対して印加される電圧は、送受信部１０２から供給される。送受信部１０２は、送信部及び受信部によりなる。送信部と受信部は共に電極対に接続されている。送信部は、超音波プローブ１０１の電極対に所定電圧をかける。受信部は、電極対から送信されたエコー信号を受信する。
【００２２】
エコー信号は、受信部から信号処理部１０３に出力される。信号処理部１０３は、エコー信号に二次元断層像生成の信号処理を施し、若しくは二次元血流像生成の信号処理を施して、それぞれのラスタ画像データを得る。二次元断層像生成の信号処理では、エコー信号をバンドパスフィルタ処理し、その後、包絡線を検波して、検波したデータに対して対数変換による圧縮処理を施すことで、二次元断層像のラスタ画像データを得る。二次元血流像生成の信号処理では、位相を検波し、組織信号と血流信号とを分離するハイパスフィルタ処理（ＭＴＩフィルタ処理）を施し、自己相関処理を施すことで、血流の移動速度、分散、パワー等の血流情報のラスタ画像データを得る。
【００２３】
ラスタ画像データは、信号処理部１０３から画像メモリ１０４に出力される。画像メモリ１０４は、出力されたラスタ画像データを一時的に記憶する。
【００２４】
画像メモリ１０４に記憶されたラスタ画像データは、画像処理部１０５に読み出される。画像処理部１０５は、ラスタ画像データを直交座標系のビデオフォーマットに変換する（スキャンコンバージョン処理）。
【００２５】
ビデオフォーマットに変換された画像データは、モニタ１０６に出力される。モニタ１０６は、二次元断層像の画像データを表示する。二次元血流像の画像データが共に生成されている場合には、重畳させて表示する。
【００２６】
超音波の送受波から画像データの生成及び表示までは、制御部１０７により制御される。制御部１０７は、シーケンサ１０８を備えている。シーケンサ１０８は、送受信部１０２、信号処理部１０３、及び画像処理部１０５に制御信号を出力し、制御信号に対応した各処理を実行させる。シーケンサ１０８の制御信号生成は、ＣＰＵ（演算制御装置）１０７ａ、ＲＡＭ（主記憶装置）１０７ｂ、ＨＤＤ（外部記憶装置）１０７ｃで構成されるコンピュータにより生成される制御命令及び制御データに従って行われる。
【００２７】
ＨＤＤ１０７ｃは、不揮発性のメモリであり、ＯＳ（オペレーティングシステム）、制御命令及び制御データを生成するプログラム、各種機能を実現するプログラムを記憶している。ＨＤＤ１０７ｃからプログラムが適宜読み出され、ＲＡＭ１０７ｂに展開され、展開されたプログラムをＣＰＵ１０７ａが解読、実行することで、制御命令及び制御データがシーケンサ１０８に出力される。
【００２８】
ＨＤＤ１０７ｃからは、操作パネル１０９を用いて入力されたコマンドに応じたプログラムが読み出される。操作パネル１０９は、例えば、電磁誘導式、磁気歪式、感圧式等の座標読み取り原理でタッチ指示された座標を検出する液晶タッチパネルであり、操作キーがソフトキーボードとして表示される。
【００２９】
図２は、超音波診断装置１００の検査中におけるコンソール１１０を示す図である。図２に示すように、コンソール１１０には、モニタ１０６及び操作パネル１０９が埋め込み設置されている。
【００３０】
モニタ１０６には、二次元断層像や二次元血流像が表示される。操作パネル１０９には、ソフトキーボードが表示される。ソフトキーボードには、文字キーや数字キー等の文字キャラクタの入力キー１１３や、各種機能に対応づけられたキー等の操作キーが用意されている。各種機能に対応づけられたキーには、登録文字列をモニタ１０６にアノテーション表示させる登録文字列表示キー１１２ａ、１１２ｂ、１１２ｃ、１１２ｄ、１１２ｅ、１１２ｆ・・・が配列されている。登録文字列表示キー１１２ａ・・・には、所定の登録文字列が割り当てられている。入力キー１１３や登録文字列表示キー１１２ａ・・・の何れかを押下することで、モニタ１０６に表示されている画像上に、押下したキーに割り当てられた文字又は文字列が表示される。
【００３１】
図３は、アノテーション表示を主とした構成を示すブロック図である。図３に示すように、アノテーション表示及び画像表示は、操作パネル１０９によるコマンド入力や所定動作の完了をトリガとして、ＨＤＤ１０７ｃに記憶されたアノテーション表示のプログラムやデータ、及び画像表示のプログラムをＲＡＭ１０７ｂに展開してＣＰＵ１０７ａで解読、実行し、その結果に応じてモニタ１０６、ＨＤＤ１０７ｃ、ＲＡＭ１０７ｂを制御することにより実現される。
【００３２】
画像表示では、ＣＰＵ１０７ａは、操作パネル１０９を用いた画像表示コマンドの入力により医用画像表示制御部１０として機能する。医用画像表示制御部１０は、画像メモリ１０４に記憶されたラスタ画像データを画像処理部１０５でビデオフォーマットに変換させ、モニタ１０６に表示させる。
【００３３】
アノテーション表示では、ＣＰＵ１０７ａは、操作パネル１０９を用いた画像表示コマンドの入力によりキー表示制御部１１として機能し、操作パネル１０９による特殊機能のキー押下や文字列入力によりアノテーション部１３として機能し、超音波診断装置１００による検査の終了により登録部１５として機能する。
【００３４】
キー表示制御部１１は、操作パネル１０９に文字キーや数字キー等の入力キー１１３、及び登録文字列表示キー１１２ａ・・・を表示させる。登録文字列表示キー１１２ａ・・・には、登録済みの文字列（登録文字列）を割り当てる。割り当てる登録文字列は、登録文字列記憶部１２から取得する。
【００３５】
図４は、登録文字列記憶部１２を示す図である。登録文字列記憶部１２は、不揮発性のメモリであるＨＤＤ１０７ｃで構成される記憶領域である。図４に示すように、登録文字列記憶部１２には、複数の登録文字列が記憶されている。各登録文字列の記憶先アドレスはインデックスにより管理されており、この記憶先アドレスを介して各登録文字列表示キー１１２ａ・・・と登録文字列が関連づけられている。
【００３６】
アノテーション部１３は、文字列をモニタ１０６に表示する。登録文字列表示キー１１２ａ・・・の入力に対応して、その登録文字列表示キー１１２ａ・・・に割り当てられた登録文字列を登録文字列記憶部１２から取得してモニタ１０６に表示する。また、文字キー又は数字キーの入力に対応して、入力された文字キー又は数字キーに割り当てられた文字をモニタ１０６に表示する。１以上連続して文字キー又は数字キーが入力されると、入力された順序で並ぶ文字列（入力文字列）をモニタ１０６に表示する。
【００３７】
文字キー又は数字キーにより文字列が入力されると、アノテーション部１３は、その入力に対応した入力文字列を重複を問わず入力文字列記憶部１４に順次記憶させる。
【００３８】
また、入力文字列と登録文字列記憶部１２に記憶されている登録文字列とを比較し、入力文字列が既に登録されている場合には、モニタ１０６にその入力文字列が登録されていることを報知するメッセージを記述したポップアップウィンドウを表示させる。
【００３９】
図５は、入力文字列記憶部１４を示す図である。入力文字列記憶部１４は、電流により記憶内容を維持する揮発性メモリであるＲＡＭ１０７ｂで構成される記憶領域である。入力文字列記憶部１４は、文字キー又は数字キーで入力された入力文字列を空き領域に順次記憶していく。同一の文字列で構成される入力文字列が複数回入力されれば、入力文字列記憶部１４には、その入力文字列が重複して記憶される。
【００４０】
登録部１５は、所定回数以上入力された同一の入力文字列を、登録文字列記憶部１２に記憶させて、その入力文字列を登録する。入力文字列記憶部１４を読み出し、重複して記憶されている入力文字列の重複入力回数をカウントする。重複入力回数が所定回数以上であると、その入力文字列を登録文字列１２に記憶する。
【００４１】
重複入力回数と比較する閾値は、閾値記憶部１６に記憶されている。登録部１５は、閾値記憶部１６に記憶された閾値を読み出し、カウントした重複入力回数と比較する。閾値記憶部１６は、ＲＡＭ１０７ｂで構成される記憶領域である。プリセット時にＨＤＤ１０７ｃから閾値を読み出し、閾値記憶部１６に記憶させておく。
【００４２】
登録文字列記憶部１２に記憶させる際には、登録文字列記憶部１２を読み出し、登録しようとする入力文字列と同一の文字列で構成される登録文字列の存在を検索する。同一の登録文字列が存在しない場合には、登録しようとする入力文字列を登録文字列記憶部１２に記憶させる。尚、登録部１５は、モニタ１０６に登録要否の選択を施すメッセージが記述されたポップアップウィンドウを表示させ、操作パネル１０９から登録要を選択する入力があった場合に、登録文字列記憶部１２に記憶させるようにしてもよい。
【００４３】
登録しようとする入力文字列が既に登録されている場合には、登録部１５は、モニタ１０６にその入力文字列が登録されていることを報知するメッセージを記述したポップアップウィンドウを表示させる。
【００４４】
図６は、超音波診断装置１００のアノテーション表示の動作を示すフローチャートである。超音波診断装置１００では、検査中、モニタ１０６に断層像が表示され、操作パネル１０９に文字キー、数字キー、登録文字列表示キーが表示されている。
【００４５】
検査中において、操作パネル１０９に表示されている登録文字列表示キー１１２ａ・・・の何れかが押下されると（Ｓ０１，Ｙｅｓ）、アノテーション部１３は、押下された登録文字列表示キー１１２ａ・・・に対応する登録文字列をＨＤＤ１０７ｃの登録文字列記憶部１２から読み出す（Ｓ０２）。登録文字列を読み出すと、この登録文字列をモニタ１０６にオーバレイ表示させる（Ｓ０３）。
【００４６】
検査中において、操作パネル１０９に表示されている文字キー又は数字キー１１３・・・が押下されて文字列が入力されると（Ｓ０１，Ｎｏ、及びＳ０４，Ｙｅｓ）、入力された文字列をモニタ１０６にオーバレイ表示し（Ｓ０５）、表示した入力文字列をＲＡＭ１０７ｂの入力文字列記憶部１４に記憶させる（Ｓ０６）。
【００４７】
さらに、ＨＤＤ１０７ｃから登録文字列記憶部１２に記憶されている登録文字列を読み出し（Ｓ０７）、読み出した登録文字列と入力文字列とを比較していく（Ｓ０８）。入力文字列と同一の文字列で構成される登録文字列が存在すると（Ｓ０８，Ｙｅｓ）、その入力文字列が登録されていることを報知するメッセージを記述したポップアップウィンドウを表示させる（Ｓ０９）。
【００４８】
即ち、本実施形態の超音波診断装置１００では、検査中の入力文字列は全て重複を問わずＲＡＭ１０７ｂに一時保存している。
【００４９】
図７は、ＲＡＭ１０７ｂに一時保存された入力文字列を登録する動作を示すフローチャートである。まず、予めプリセット時にＨＤＤ１０７ｃから閾値を読み出し、ＲＡＭ１０７ｂの閾値記憶部１６に記憶させておく（Ｓ１１）。
【００５０】
登録部１５は、検査終了をトリガとして、入力文字列をＲＡＭ１０７ｂの入力文字列記憶部１４から読み出し（Ｓ１２）、重複している入力文字列の重複入力回数をカウントする（Ｓ１３）。
【００５１】
カウントが終了すると、登録部１５は、閾値記憶部１６から閾値を読み出して、各重複入力回数と閾値とを比較して、重複入力回数が閾値以上の入力文字列を検索する（Ｓ１４）。重複入力回数が閾値以上の入力文字列が存在すると（Ｓ１４，Ｙｅｓ）、登録文字列をＨＤＤ１０７ｃの登録文字列記憶部１２から読み出し（Ｓ１５）、登録文字列と重複入力回数が閾値以上であった入力文字列を比較して、重複入力回数が閾値以上であった入力文字列と同一の文字列構成の登録文字列を検索する（Ｓ１６）。
【００５２】
検索により、重複入力回数が閾値以上であった入力文字列に登録文字列として登録済みの文字列が存在すると（Ｓ１６，Ｙｅｓ）、登録済みの文字列であることを報知するポップアップウィンドウをモニタ１０６に表示させる（Ｓ１７）。
【００５３】
また検索により、重複入力回数が閾値以上であった入力文字列に未登録の文字列が存在すると（Ｓ１８，Ｙｅｓ）、その重複入力回数が閾値以上で未登録の入力文字列の登録要否を受け付けるポップアップウィンドウをモニタ１０６に表示させる（Ｓ１９）。操作パネル１０９を用いて登録要の入力がなされると（Ｓ２０，Ｙｅｓ）、登録要の入力がなされた未登録の入力文字列をＨＤＤ１０７ｃの登録文字列記憶部１２に記憶させる（Ｓ２１）。
【００５４】
また、この文字列の登録処理では、検査中に入力された入力文字列を検査終了後に一覧表示し、一覧表示から登録する文字列を選択するようにしてもよい。この場合、登録部１５による重複入力回数のカウント処理、閾値との比較処理が排除できる。
【００５５】
図８は、登録する文字列を選択する場合の文字列登録動作を示すフローチャートである。登録部１５は、検査終了をトリガとして、入力文字列をＲＡＭ１０７ｂの入力文字列記憶部１４から読み出し（Ｓ３１）、登録文字列をＨＤＤ１０７ｃの登録文字列記憶部１２から読み出す（Ｓ３２）。
【００５６】
読み出した入力文字列と登録文字列を比較して、登録文字列と同一の文字列で構成される入力文字列を検索し、登録済みの入力文字列の存在をチェックする（Ｓ３３）。
【００５７】
登録済みの入力文字列が存在すると、その登録済みの入力文字列は色を変える等の強調修飾をして、読み出した入力文字列全てを重複を除きモニタ１０６に表示する（Ｓ３４）。
【００５８】
操作者が操作パネル１０９を用いてモニタ１０６に表示された入力文字列から登録する選択する入力を行うと（Ｓ３５，Ｙｅｓ）、その選択された入力文字列をＨＤＤ１０７ｃの登録文字列記憶部１２に記憶させる（Ｓ３６）。
【００５９】
このように、本実施形態の超音波診断装置１００では、検査中に入力された入力文字列を一時記憶しておき、所定回数以上重複入力された入力文字列を検査終了後に自動登録する。また、検査中に入力された入力文字列を検査終了後に一覧表示し、登録する文字列の選択を受け付ける。これにより、アノテーション表示に頻繁に利用する文字列が簡便に登録でき、アノテーション表示する文字列の登録に係る煩わしさが低減される。
【００６０】
この超音波診断装置１００による文字列の登録過程について、図４及び図５並びに図９乃至１３を参照して具体的に説明する。図９乃至図１３は、各登録過程におけるコンソール１１０を示す図である。尚、重複入力回数の閾値として３回が設定されているものとする。
【００６１】
図９に示すように、操作パネル１０９の各入力キー１１３を所定の順序で押下すると、その入力キー１１３に割り当てられている文字が順番にならび文字列としてモニタ１０６の画像上に表示される。例えば、各入力キー１１３を文字列Ｆを構成する順序で押下すると、モニタ１０６上に文字列Ｆが表示される。また、各入力キー１１３を文字列Ｇを構成する順序で押下すると、モニタ１０６上に文字列Ｇが表示される。
【００６２】
図４に示すように、文字列Ｆは、既に登録文字列として登録されている。この場合、図１０に示すように、モニタ１０６には、文字列Ｆが登録済みであることを報知する登録済み報知ウィンドウ１１４が表示される。
【００６３】
図５に示すように、文字列Ｇは、今回の入力で重複入力回数の閾値である３回を超えて入力されている。この場合、図１１に示すように、モニタ１０６には、文字列Ｇの登録要否の選択を施す登録要否選択ポップアップウィンドウ１１５が表示される。このポップアップウィンドウに対して、登録要を選択することを示すＯＫボタンを押下すると、文字列Ｇは、登録文字列記憶部１２に記憶される。
【００６４】
また、検査が終了すると、図１２に示すように、登録文字列記憶部１２に記憶されていないが入力文字列記憶部１４に記憶されている入力文字列Ｇ、Ｈ、Ｊを一覧表示して、各入力文字列Ｇ、Ｈ、Ｊの登録要否の選択を施す入力文字列一覧ポップアップウィンドウ１１６がモニタ１０６に表示される。このポップアップウィンドウは、入力文字列Ｇ、Ｈ、Ｊに対応してチェックボタンを表示する。また、入力された文字列に登録済みの文字列があれば、当該文字列に下線等をの強調表示１１７を付す。登録要の入力文字列に対応するチェックボタンにチェックを入れ、登録要を選択することを示す登録ボタンを押下すると、チェックされた登録文字列は登録文字列記憶部１２に記憶される。例えば、入力文字列Ｇに対応するチェックボタンにチェックを入れて登録ボタンを押下すると、入力文字列Ｇが登録文字列記憶部１２に記憶される。
【００６５】
図１３に示すように、新規に入力文字列Ｇが登録文字列として記憶されると、操作パネル１０９には、入力文字列Ｇが割り当てられた登録文字列表示キー１１２ｇが表示される。この登録文字列表示キー１１２ｇを押下することで、モニタ１０６の画像上に文字列Ｇがアノテーション表示される。
【００６６】
尚、本実施形態において、重複入力回数と比較する閾値は、操作パネル１０９を用いて操作者が入力した値を閾値記憶部１６に記憶させるようにしてもよい。
【００６７】
また、入力文字列記憶部１４には、入力文字列を重複を問わず順次記憶するようにした。この他にも、入力文字列記憶部１４には、入力文字列とその重複入力回数を記憶するようにし、既に記憶されている入力文字列と同一の入力文字列が入力されると重複入力回数をカウントアップして更新記憶し、重複して記憶させなくともよい。
【００６８】
また、入力文字列記憶部１４は、登録処理の終了後にＨＤＤ１０７ｃにコピーしておいて超音波診断装置１００の稼働終了後も保持しておき、超音波診断装置１００の複数回の起動及び終了をスパンとして重複入力回数をカウントするようにしてもよい。重複入力回数をカウントするスパンは、一回の起動毎、所定数の起動毎、若しくは日数毎とし、操作パネル１０９を用いてスパンを設定し、登録終了後に設定を確認して、ＨＤＤ１０７ｃにコピーするようにすればよい。
【００６９】
以上、本実施形態では、超音波診断装置１００にアノテーション表示機能を実装させた例について説明した。本発明の入力文字列の登録技術は、超音波診断装置以外にも、Ｘ線ＣＴ装置、Ｘ線診断装置、ＭＲＩ装置、核医学診断装置等のアノテーション表示機能を有する装置に実装することができる。
【００７０】
超音波診断装置に本実施形態のアノテーション表示機能を実装させた場合、超音波プローブ１０１を片手に持ちながら、所望の文字列を簡便にアノテーション表示させることができるため、よく使う登録文字列を簡便に登録できることの効果は顕著である。
【図面の簡単な説明】
【００７１】
【図１】本実施形態に係る超音波診断装置の構成を示すブロック図である。
【図２】本実施形態に係る超音波診断装置のコンソールを示す図である。
【図３】本実施形態に係る超音波診断装置のアノテーション機能に係る構成を示すブロック図である。
【図４】本実施形態に係る超音波診断装置が記憶する登録文字列を示す図である。
【図５】本実施形態に係る超音波診断装置が記憶する入力文字列を示す図である。
【図６】本実施形態に係る超音波診断装置のアノテーション表示動作を示すフローチャートである。
【図７】本実施形態に係る超音波診断装置の文字列登録動作を示すフローチャートである。
【図８】本実施形態に係る超音波診断装置の他の文字列登録動作を示すフローチャートである。
【図９】本実施形態に係る超音波診断装置のコンソールに入力文字列をアノテーション表示した状態を示す図である。
【図１０】本実施形態に係る超音波診断装置のコンソールに登録済み報知ポップアップウィンドウを表示した状態を示す図である。
【図１１】本実施形態に係る超音波診断装置のコンソールに登録要否選択ポップアップウィンドウを表示した状態を示す図である。
【図１２】本実施形態に係る超音波診断装置のコンソールに入力文字列一覧ポップアップウィンドウを表示した状態を示す図である。
【図１３】本実施形態に係る超音波診断装置のコンソールに新たに登録された文字列のキーが追加された状態を示す図である。
【符号の説明】
【００７２】
１０  医用画像表示制御部
１１  キー表示制御部
１２  登録文字列記憶部
１３  アノテーション部
１４  入力文字列記憶部
１５  登録部
１６  閾値記憶部
１００  超音波診断装置
１０１  超音波プローブ
１０２  送受信部
１０３  信号処理部
１０４  画像メモリ
１０５  画像処理部
１０６  モニタ
１０７  制御部
１０７ａ  ＣＰＵ
１０７ｂ  ＲＡＭ
１０７ｃ  ＨＤＤ
１０８  シーケンサ
１０９  操作パネル
１１０  コンソール
１１２ａ、１１２ｂ、１１２ｃ、１１２ｄ、１１２ｅ、１１２ｆ、１１２ｇ  登録文字列表示キー
１１３  文字キー、数字キー
１１４  登録済み報知ウィンドウ
１１５  登録要否選択ポップアップウィンドウ
１１６  入力文字列一覧ポップアップウィンドウ
１１７  強調表示
【図１】
2007330324.tif 000003
【図２】
2007330324.tif 000004
【図３】
2007330324.tif 000005
【図４】
2007330324.tif 000006
【図５】
2007330324.tif 000007
【図６】
2007330324.tif 000008
【図７】
2007330324.tif 000009
【図８】
2007330324.tif 000010
【図９】
2007330324.tif 000011
【図１０】
2007330324.tif 000012
【図１１】
2007330324.tif 000013
【図１２】
2007330324.tif 000014
【図１３】
2007330324.tif 000015